(57)【要約】      （修正有）【課題】畳表で覆われる畳床の角部の側面を綺麗に覆って隠すことができる品質の高い美観に優れた高級感のある縁なし畳を提供する。【解決手段】木質繊維板からなる方形の板状基材で畳床３０を構成する。畳床３０の表面を畳表本体で覆い、畳床３０の側面から裏面周辺部を畳表４０からはみ出した折り返し片４１〜４４で覆う。畳床３０の裏面側にて折り返し片４１〜４４の上から裏シートで覆って縁なし畳１０を構成する。畳床３０は、折り返し片４１〜４４の裏面被覆部と対向する畳床３０の裏面周囲を切除して裏面から一段低く形成した裏面収納部３２を設ける。畳表４０は、隣接する一方の側面被覆部の端部から隣接する他方の側面被覆部の端部に沿って延出され、畳床３０の角部３８の側面を覆うように折り返される側面片４５を有する。【選択図】図２
2013167096.tif 000002
【特許請求の範囲】
【請求項１】
木質繊維板からなる方形の板状基材で畳床を構成し、前記畳床の表面を畳表本体で覆い、畳床の側面を前記畳表からはみ出した折り返し片の側面被覆部で覆うと共に畳床の裏面側を折り返し片の裏面被覆部で被覆固定し、その畳床の裏面側にて裏面被覆部の上から裏シートで覆って構成した縁なし畳であって、
前記畳床は、前記畳表が折り返えされる折り返し片の裏面被覆部と対向する該畳床の裏面周囲を、前記裏面被覆部の重畳可能幅で畳表厚さ分の高さだけ切除して裏面から一段低く形成した裏面収納部を設け、
前記畳表は、隣接する一方の側面被覆部の端部から隣接する他方の側面被覆部の端部に沿って延出され、畳床の角部の側面を覆うように折り返される側面片を有し、
畳表の裏面において、畳表の縦糸に直交する方向にて畳表本体と側面被覆部との境界線及び側面被覆部と裏面被覆部との境界線に断面凹溝状の折曲溝が形成してなることを特徴とする縁なし畳。
【請求項２】
畳床には、前記側面片が側面方向に折り返された部位と対向する該畳床の側面に、重畳可能長さで畳表厚さ分の深さを、該畳床の側面より切除して窪ませた側面収納部を備えたことを特徴とする請求項１に記載の縁なし畳。
【発明の詳細な説明】
【技術分野】
【０００１】
本発明は、一般家屋の洋間や板間あるいはロビーなどの床に畳を並べて畳コーナーを設置する置き畳として利用される縁なし畳に関する。
【背景技術】
【０００２】
近年、住宅等の建築物において、内装の洋風化が進み、畳敷きの和室が少なくなって来ている。このような洋風化の一方で和室空間の良さも再認識されている。例えば、フローリングやカーペット等の床材の上に畳を敷設するだけで簡単に畳コーナーを形成して和室の雰囲気を醸し出すことができる「置き畳」が注目されている。
【０００３】
この置き畳は、洋間のフローリング床の上に薄くて小型のコンパクトな畳を整列して配置することで簡単に畳コーナーを形成して利用できる利便性に富む畳である。このような置き畳はほとんどが縁取りのないシンプルな縁なし畳である。
【０００４】
この縁なし畳の構造は、主として木質繊維板や合板あるいはその他のボード等からなる四角形状の板状基材の表面に、天然のイ草や人工の筒状抄繊糸などを編織して得た畳表を板状基材の表面から裏面へと折り返して巻き込み、その巻き込んだ部分を接着剤やステープル等で固定して製作している。
【０００５】
しかし、このように製作された縁なし畳は、板状基材の裏面に巻き込んだ部分によって裏面では局部的に畳の厚さ分が膨らんで裏面に段差ができてしまう。特に、角部では畳表の切り口が外に現れないように折り返し部分の端部をさらに折り返して隣接する折り返し部分の端部に重ねるため、重ね合わせる部分が三重になり、このため、置き畳として利用する場合に、この角部の三重部分の高さがばらばらになってがたついたり、滑りやすくなったりする不具合が生じていた。
【０００６】
この不具合を解消する手段として、基準となる大きさのボードとこれより一回り小さいボードとを積層して板状基材の裏面周囲に一段低い段差部を設け、更に畳表が三重に重ね合わされる角部を一段低く切除することにより、畳表を板状基材の裏面に巻き込んだ場合に巻き込んだ部分が段差部に納まるようにして厚さ変化に対処している(例えば特許文献１参照)。
【先行技術文献】
【特許文献】
【０００７】
【特許文献１】特開平１１−１２４９８７号公報
【発明の概要】
【発明が解決しようとする課題】
【０００８】
しかしながら、畳表は編織されたイ草や抄繊糸などの縦糸の軸方向と直交する方向に対する曲げ抵抗が強いことから電気こて等で折り目をつけながら折り曲げる作業を要して手間がかかっていた。また、折り曲げた後も畳床の角部では更に一段低く切除して三重重ね部分に対応しようとしているが、折り目をつけて折り曲げた部分が完全に折り畳まれず若干の丸みを帯びて重ね合わされ、その結果、四隅においてその厚みが不安定になり、角部での裏面の完全な面一は難しくなっていた。
【０００９】
逆に、畳床角部の裏面では膨らみを抑制して面一を図ろうとすると、折り返された部分が重ならないようにする必要があるが、そうすると外部から畳床の角部が側面方向から見えてしまい見栄えが悪くなってしまうことになる。このように縁なし畳では角部を隠そうとすると、逆に角部での畳の重なりが生じ、裏面の完全な面一を求めることが困難となり、裏面の完全な面一を求めると見栄えが悪くなるという相反する問題を有していた。
【００１０】
そこで、本発明の主たる課題は、手間が掛からず、畳表で覆われる畳床の側面の角部を綺麗に覆って隠すことができる品質の高い美観に優れた高級感のある縁なし畳を提供することである。
【課題を解決するための手段】
【００１１】
請求項１に記載した発明は、「木質繊維板からなる方形の板状基材で畳床３０を構成し、前記畳床３０の表面を畳表本体４０ａで覆い、畳床３０の側面３０ａ〜３３ａを前記畳表４０からはみ出した折り返し片４１〜４４の側面被覆部４１ａ〜４４ａで覆うと共に畳床３０の裏面側を折り返し片４１〜４４の裏面被覆部４１ｂ〜４４ｂで被覆固定し、その畳床３０の裏面側にて裏面被覆部４１ｂ〜４４ｂの上から裏シート２０で覆って構成した縁なし畳１０であって、
前記畳床３０は、前記畳表４０が折り返えされる折り返し片４１〜４４の裏面被覆部４１ｂ〜４４ｂと対向する該畳床３０の裏面周囲を、前記裏面被覆部４１ｂ〜４４ｂの重畳可能幅で畳表厚さ分ｔ1の高さｈ２だけ切除して裏面から一段低く形成した裏面収納部３２を設け、
前記畳表４０は、隣接する一方の側面被覆部４１ａ、４３ａの端部から隣接する他方の側面被覆部４２ａ、４４ａの端部に沿って延出され、畳床３０の角部３８の側面３１ａ、３３ａを覆うように折り返される側面片４５を有し、
畳表４０の裏面において、畳表４０の縦糸４０ｔに直交する方向にて畳表本体４０ａと側面被覆部４２ａ、４４ａとの境界線及び側面被覆部４２ａ、４４ａと裏面被覆部４２ｂ、４４ｂとの境界線に断面凹溝状の折曲溝４７が形成してなる」ことを特徴とする縁なし畳１０である。
【００１２】
この発明では、畳表４０の裏面に折り返しを促進する、縦糸方向と直交する方向の折曲溝４７を備えておくことにより、この部分での畳表４０の折り返しが丸みを帯びることなく容易且つ角が立ってシャープになる。つまり、天然のイ草や人工の筒状抄繊糸などを編織して得た畳表４０はその縦糸方向と直交する方向は曲げ抵抗が大きく、折りにくい傾向がある。ところが、この折曲溝４７を備えておくことによって溝側（換言すれば、裏面側）の曲げ抵抗が少なく且つきれいに曲げることが出来、手間を掛けることなく縁なし畳１０を容易に製作することが可能になる。
【００１３】
しかも、このように折り返しが丸みを帯びることなく容易且つ角が立ってシャープに曲げることが出来、且つ、畳床３０の裏面コーナー部における隣接する折り返し片４１〜４４の重畳部分を少なくとも２重で達成することができるので、裏面四隅における重畳部分の厚みを均一化することが出来て縁なし畳１０を床面においた時にがたつきがなくなる。
【００１４】
また、畳床３０に裏面収納部３２を備えることにより、畳表４０の裏面被覆部４１ｂ〜４４ｂをこの一段低い裏面収納部３２に収納させることで、局部的に裏面被覆部４１ｂ〜４４ｂが嵩張らないようにすることができ、且つ、側面被覆部４１ａ〜４３ａの端部に側面片４５を備えることにより、表面から裏面３１へと折り返し片４１〜４４で上下方向に覆った際に唯一覆いきれない側面角部３８に対し、この側面片４５が上下方向ではなく側面方向から覆うことができる。
【００１５】
請求項２に記載した発明は、請求項１に記載の縁なし畳１０において、「前記畳床３０には、前記側面片４５が側面方向に折り返された部位と対向する該畳床３０の側面３１ａ、３３ａに、重畳可能長さで畳表厚さ分ｔ1の深さＷ１を、該畳床３０の側面３１ａ、３３ａより切除して窪ませた側面収納部３３を備えた」ことを特徴とする。
【００１６】
この発明では、畳床３０に側面収納部３３を備えることにより、畳表４０の側面片４５をこの側面収納部３３に収納させて側面方向で局部的に嵩張らないようにすることができる。この側面収納部３３の収納空間は側面片４５の体積と少なくとも略同じに設定して形成するため畳床３０の側面は面一となり、この側面片４５の厚さ分が膨らむことがない。
【００１７】
この結果、縁なし畳１０を床に敷き詰めた場合に、互いの縁なし畳１０の側面同士が接触する側面間に隙間が生じず、多くの縁なし畳１０が規則正しく整列されて配置されることになる。
【発明の効果】
【００１８】
本発明によれば、置き畳がガタついたり滑ったりせず、しかも容易に製作することができる。特に、畳表４０で覆われる畳床３０の側面角部３８を綺麗に覆って隠すことができる品質の高い美観に優れた高級感のある置き畳として利用できる縁なし畳１０を提供することができる。
【図面の簡単な説明】
【００１９】
【図１】(A)は本発明の縁なし畳を示す分解斜視図、(B)(C)は他の実施例の部分斜視図である。
【図２】本発明の縁なし畳の組み立て前の平面対応状態を示す斜視図である。
【図３】本発明の縁なし畳の左右側を折り曲げ始めた状態を示す斜視図である。
【図４】本発明の縁なし畳の左右側の折り曲げを完了した状態を示す斜視図である。
【図５】本発明の縁なし畳の折曲げ完了と裏シートとの対応状態を示す斜視図である。
【図６】本発明の縁なし畳を表面側から見た斜視図である。
【図７】本発明の縁なし畳を裏面側から見た斜視図である。
【図８】本発明の他の実施例の縁なし畳を示す斜視図である。
【発明を実施するための形態】
【００２０】
以下、本発明を図示実施例に従って説明する。図１(A)は本発明の縁なし畳１０を上下方向に分解して示す斜視図である。この図が示すように、縁なし畳１０は中間部の畳床３０と、この畳床３０を表面側から覆う畳表４０と、裏面側から貼り付ける裏シート２０とで構成される。図においては、本発明の畳床裏面での畳表固定構造を明瞭に表すため畳床３０の裏面側を上向きにして示している。
【００２１】
畳床３０は、木質繊維板からなる方形板状の部材であり、図では正方形の板材を例にとって説明する。この畳床３０となる木質繊維板としては、厚さｈ１が１０〜５０ｍｍ程度で、かつ見掛け密度が０．２〜０．３５ｇ／ｃｍ3程度のインシュレーションボード(軟質繊維板)を用いるのがクッション性、断熱性、防音性等の観点から適している。
【００２２】
また、畳床３０の大きさは特に限定されるものではなく、コンパクトな大きさの１／８畳程度あるいはそれ以上またはそれ以下の任意の大きさであってもよい。例えば、床面への置き畳として利用する際に、繰り返し敷設作業や回収作業が求められる用途の場合は、取り扱いの容易化を考慮してコンパクトな縁なし畳１０が適切である。
【００２３】
そして、この畳床３０は、裏面３１の周囲に重畳可能なように、後述する畳表４０の第１〜第４の折り返し片４１〜４４の裏面被覆部４１ｂ〜４４ｂの少なくとも平面形状と同じ幅でかつ畳表厚さ分ｔ1を該畳床３０の裏面稜線３４ｂ〜３７ｂに至るまで切除して一段低くした段差ｈ２をつけて形成された裏面収納部３２を全周に備えている。裏面収納部３２の形成幅は畳表４０の裏面被覆部４１ｂ〜４４ｂを接着固定するのに適した幅寸法に設ける。例えば、インシュレーションボードの場合２５〜３０ｍｍの幅寸法があれば、安定して接着固定できる。
【００２４】
さらに、畳床３０には、後述する畳表４０の側面片４５が側面方向で対向する畳床３０の側面３１ａ、３３ａの四隅に、畳表４０の側面片４５を重ね合わせ可能な長さＷ３でかつ畳表厚さ分ｔ1を切除して窪ませた側面収納部３３を必要に応じて備えている。この側面収納部３３は畳床３０の角部３８を境とする隣接した一方の側面３０ａ〜３３ａに設ければよく、また畳表４０の側面片４５と対応して設けられる。通常は縦糸４０ｔに直交する方向の側面３１ａ、３３ａに設けられる。
【００２５】
また、裏面収納部３２や側面収納部３３を設ける方法としては、木質繊維板からなる板状部材の収納部形成位置を切削や金型などを用いて圧縮成形する方法等を挙げることができる。特に、これらの各収納部３２，３３は切削で形成する方法が好ましい。圧縮成形の場合、削りカスなどの廃棄物が生じることがなく、簡単かつ効率的に各収納部３２，３３を形成することができる。また、各収納部３２，３３の密度が向上して当該部分の強度が向上する。
【００２６】
畳表４０は、天然のイ草や細幅にスリットした機械抄和紙を筒状にして撚りをかけた人工の筒状抄繊糸などを縦糸にして編織して得た可撓性を有するシートである。このシート状の畳表４０の畳表本体４０ａは、図２に示すように正方形の畳床３０と同じ大きさの正方形を有しており、この畳表本体４０ａで畳床３０の表面を覆い、このとき畳床３０からはみ出した畳表本体４０ａの周縁部を畳床３０の裏面側へと折り返して巻き込み、この巻き込んだ部分を接着剤で固定して一体化するようにしている。
【００２７】
ここに用いられる畳表４０は、平面視正方形の畳表本体４０ａの４辺から延出された側面被覆部４１ａ〜４４ａ及び側面被覆部４１ａ〜４４ａに続く裏面被覆部４１ｂ〜４４ｂと、該畳表４０の四隅に設けられる側面片４５とで構成され、畳表４０の裏面側において、縦糸４０ｔに直交する方向にて畳表本体４０ａと側面被覆部４２ａ、４４ａとの境界線Ｌ１、側面被覆部４２ａ、４４ａと裏面被覆部４１ｂ〜４４ｂとの境界線Ｌ２及び側面片４５の、畳表本体４０ａと側面被覆部４２ａ、４４ａとの境界線Ｌ１に一致する部位（この部分もＬ１とする。）に折り返しを促進する断面凹形の折曲溝４７を備える。そして、前記側面被覆部４１ａ〜４４ａ及び裏面被覆部４１ｂ〜４４ｂにて第１〜第４の折り返し片４１〜４４が形成される。このうち、左右方向に対向する第１，第３の折り返し片４１，４３が左右対称に配置され、前後方向に対向する第２，第４の折り返し片４２，４４が前後対称に配置されている。
【００２８】
前記境界線Ｌ１，Ｌ２に形成される折曲溝４７は、イ草や抄繊糸などの縦糸に直交する方向にて、畳表４０が畳床３０の水平方向の稜線３５ａ，３５ｂ，３７ａ，３７ｂ及び側面３０ａ，３２ａの角部３８に接触して屈曲するように、その裏面側に断面凹形の折曲溝４７（図１の一部拡大して示す）を形成している。この折曲溝４７は畳表４０の断面形状がＶ字形、レ字形、Ｕ字形など折り易くなる溝形状であればよく、縦糸方向と直交する方向に鋸刃を走らせることで簡単に形成することができる。この折曲溝４７は前記断面形状を備えるため、曲げたときに開口側に互いに接触すべき肉が切除されており、その結果、畳表４０は開口側に円滑な折り返しが促進される。つまり、畳表４０はその縦糸方向と直交する方向は曲げ抵抗が大きく、折り曲げにくい傾向にあるが、この折曲溝４７を備えることによって曲げ抵抗が少なくなり、手間を掛けることなくきれいに折り曲げられて製作が容易になり、縁なし畳１０の製作能率が向上する。なお、３４ａ，３６ａも畳床３０の水平方向の稜線である。
【００２９】
次に、畳床３０の側面方向の角部を隠すことができる側面片４５について説明する。側面片４５は、隣接する一方の側面被覆部４１ａ、４３ａの端部から該側面被覆部４１ａ、４３ａの幅にて隣接する他方の側面被覆部４２ａ、４４ａの端部に沿って延出されている。長さＷ３は畳床３０の角部３８を覆うことが出来る長さであれば足るが、余裕を見て隣接する他方の折り返し片４２，４４の長さとしている。本実施例では側面片４５と側面収納部３３とは同じ長さＷ３としているが、側面片４５より側面収納部３３の方を長くしてもよい。
【００３０】
また、この側面片４５は畳床３０の側面厚さｔ2に対応する対応幅Ｗ２を有して第１，第３の側面被覆部４１ａ、４３ａの両端部に形成され、第２，第４の折り返し片４２，４４の延出方向に突出させている。
【００３１】
図１の実施例では、側面片４５は、折り返し片４１，４３の両端に設けているが、勿論、これに限られず、隣接する側面被覆部のいずれか一方に設けられることになる。ただし、折り返し片４２，４４に設けると縦糸が短くなるため折り返し片４１，４３側に設けることが好ましい。なお、前述の場合、側面片４５の折り返し方向に一致するように側面収納部３３が形成されることになる。
【００３２】
裏シート２０は、畳床３０を畳表４０で覆った後、その裏面側を最後に覆うシートであって、例えば外面の摩擦係数を大きくした不織布を用いる。この不織布を畳床３０より一回り小さい大きさに形成して畳の裏面に接着固定するものである。
【００３３】
上述の裏シート２０、第１〜第４の折り返し片４１〜４４および側面片４５を接着する接着剤は、これらとの接着性に適しているものであればよく、酢ビ系、ゴム系、ホットメルト系、ハネムーン形などの接着剤を用いる。好ましくは短時間の接着処理を可能にして製作効率を高める高速乾燥タイプの接着剤(変形ゴムラテックス系接着剤)或いは２液接触により硬化するハネムーンタイプの接着剤が適している。
【００３４】
このように構成された縁なし畳１０を自動組立装置(図示せず)を用いて製作する場合は、図１に示すように畳床３０と畳表４０との接着すべき互いの対向面に例えば高速乾燥タイプ又は２液接触硬化タイプの高速乾燥接着剤を塗布した後、図２に示すように両者を位置合わせして平面対向させる。次に、図３に示すように、まず左右方向の第１，第３の折り返し片４１，４３を可動アーム等で加圧して内側の境界線Ｌ１上で略直角に折り曲げる。このとき、折曲溝４７が折り曲げ方向に曲がり易いように折曲ガイドするため第１，第３の折り返し片４１，４３を容易且つシャープに曲げることができ、製作能率が向上する。また、折り曲げ後に対向する互いの対向面には接着剤が塗布されているため安定して接着固定される。
【００３５】
続いて、四隅の側面片４５を側面方向に折り曲げて該側面片４５を側面収納部３３にそれぞれ収納接着させる。次に、図４に示すように第１，第３の折り返し片４１，４３を外側の境界線Ｌ２上で略直角に折り曲げる。これにより、左右方向では第１，第３の折り返し片４１，４３および側面片４５が折曲溝４７によって規則正しく折り曲げられた後、畳床３０に接着固定され、左右方向の折り返し処理が終わる。
【００３６】
その後は、前後方向の折り返し処理に移り、同様に第２，第４の折り返し片４２，４４を内側の境界線Ｌ１上で略直角に折り曲げる。続いて、第２，第４の折り返し片４２，４４を外側の境界線Ｌ２上で略直角に折り曲げる。これにより、図５に示すように前後方向の第２，第４の折り返し片４２，４４側の折り返しによる接着固定を終える。
【００３７】
最後に、第１〜第４の折り返し片４１〜４４が折り返された畳床３０の裏面に対し、裏シート２０で覆うように貼着して、図６および図７に示すように１枚の縁なし畳１０の製作が完了する。なお、裏シート２０の貼着により、畳床３０の裏面でホツレ等が生じている畳表４０の折り返し片４１〜４４の端部を覆い隠すことができる。また、裏シート２０の外面は摩擦抵抗が大きいため、縁なし畳１０が置き畳として利用された場合に、滑り抵抗を十分に発揮し安定して配置されることになる。
【００３８】
ここで、前述のように裏面収納部３２を備えることにより、畳表４０の折り返し片４１〜４４の裏面被覆部４１ｂ〜４４ｂを畳床３０に裏面３１に折り返した際に、４辺に沿う裏面収納部３２にそれぞれ収納させて畳床３０の裏面３１に畳表４０の裏面被覆部４１ｂ〜４４ｂが納まるが、図１〜７に示す実施例では、裏面収納部３２の収納空間３２は裏面被覆部４１ｂ〜４４ｂの体積と略同じに設定しているため畳床３０の裏面３１では、段差形成されていない中央部と、畳表４０の折り返し片４１〜４４とが面一となるものの四隅において裏面被覆部４１ｂ〜４４ｂの端部が僅かに重なり合う。この部分は二重にはなるものの先行例のように丸みを帯びた状態で折り曲げられて三重に重ね合わされたものと異なり、畳表１枚分のみの重ね合わせられただけであるから、裏面に裏シート２０で覆うことにより殆んど目立たなくなる。
【００３９】
図１(B)の畳表４０の角部の一部拡大図及び図８はこの発明の他の実施例を示す。このものは、畳表４０の折り返し片４２，４４の両裏面被覆部４２ｂ、４４ｂの一部が対向する側面収納部３３との対向領域の長さＷ３（即ち、折り畳んだ時に重なり合う部分）を切除して該裏面被覆部４２ｂ〜４４ｂの一部（即ち、境界線Ｌ２の外側に切り残し部４６が設けられる。）を四角形状に切除して開口させた裏面重なり回避空間４９を備えたものである。この実施例では対向領域の長さＷ３となる辺方向の長さを、側面片４５の長さＷ３と側面収納部３３の長さＷ３と略同長さに設定して設けている。
【００４０】
この場合、折り畳むと図８のように裏面被覆部４２ｂ、４４ｂの裏面重なり回避空間４９の内側面４９ａは隣接する裏面被覆部４１ｂ、４３ｂの先端に接触又は近接して配置されるが、裏面被覆部４２ｂ、４４ｂの切り残し部４６は裏面被覆部４１ｂ、４３ｂの側端部の上に重なる。この重なり部分は僅かで、本実施例では裏シート２０の外周辺は切り残し部４６に重ならないように貼り付けられ、裏シート２０と切り残し部４６とが裏面においてほぼ面一となるように設定されるが、勿論、裏シート２０を切り残し部４６上に重なるように貼り付けてもよい。上述のように、裏面重なり回避空間４９が隣接する裏面被覆部４１ｂ、４３ｂの側端部の上に重ならないようにすれば、この部分の重複はなく、僅かな切り残し部４６の重なりだけになり、床面に設置した場合、ガタついたり滑ったりしにくい。
【００４１】
なお、図１(C)の一部拡大図は切り残し部４６も切除した場合で、この場合は裏面重なり回避空間４９全体が隣接する裏面被覆部４１ｂ、４３ｂの側端部に重ならないので、裏面被覆部４１ｂ〜４４ｂの全体においてほぼ面一となるように設定される。
【００４２】
この発明の構成と、上述の実施例の構成との対応において、この発明の構成は請求項に記載される技術思想に基づいて構成することができ、実施例の構成に限定されるものではない。例えば、上述の実施例では正方形の縁なし畳１０を示したが、これに限らず、長方形あるいは三角形や多角形などの外形状の縁なし畳１０にして構成することもできる。
【符号の説明】
【００４３】
１０…縁なし畳
２０…裏シート
３０…畳床
３０ａ〜３３ａ…側面
３２…裏面収納部
３３…側面収納部
３５…側面の角部
４０…畳表
４０ａ…畳表本体
４０ｔ…縦糸
４１〜４４…折り返し片
４１ａ〜４４ａ…側面被覆部
４１ｂ〜４４ｂ…裏面被覆部
４５…側面片
４６…角部空間
４７…折曲溝
４９…裏面重なり回避空間
【図１】
2013167096.tif 000003
【図２】
2013167096.tif 000004
【図３】
2013167096.tif 000005
【図４】
2013167096.tif 000006
【図５】
2013167096.tif 000007
【図６】
2013167096.tif 000008
【図７】
2013167096.tif 000009
【図８】
2013167096.tif 000010